(57)【特許請求の範囲】
【請求項１】
折り畳み自在な折畳み筐体の閉状態における内側折り込み面に設けられた第１の表示部と、
閉状態の前記内側折り込み面の反対側に設けられた第２の表示部と、
前記折畳み筐体の開閉状態を検知する状態検知手段と、
前記折畳み筐体の被覆状態を検知する磁石式の被覆状態検知手段と、
前記状態検知手段及び被覆状態検知手段の検知結果に基づいて所定の期間だけ同じ内容の情報を前記第１の表示部と前記第２の表示部とに表示するように表示制御をする制御手段とを備える折畳式携帯用電子機器。
【請求項２】
前記所定の期間は、
前記折畳み筐体の閉状態から開状態へ移行した時から前記折畳み筐体の所定の開状態を検出した時に至るまでである請求項１に記載の折畳式携帯用電子機器。
【請求項３】
前記所定の期間は、
前記折畳み筐体の所定の開状態から閉状態へ移行した時から前記折畳み筐体の閉状態を検出した時に至るまでである請求項１に記載の折畳式携帯用電子機器。
【請求項４】
前記第１及び第２の表示部を構成する表示素子は、
液晶表示素子である請求項１に記載の折畳式携帯用電子機器。
【請求項５】
前記第２の表示部に表示される情報を任意に選択するために操作される操作部が設けられた請求項１に記載の折畳式携帯用電子機器。
【発明の詳細な説明】
【０００１】
【発明の属する技術分野】
この発明は、折り畳み自在な折畳み筐体を有した折畳式携帯用電子機器に関する。
【０００２】
詳しくは、閉状態時の内側折り込み面に第１の表示部及びその内側折り込み面の反対側に第２の表示部を有した折畳み筐体に制御手段を設け、折畳み筐体の開閉状態を検知する状態検知手段の検知結果に基づいて所定の期間だけ同じ内容の情報を第１の表示部と第２の表示部とに表示するように制御手段が表示制御を行うようにして、従来方式に比べて、情報の視認性及び当該電子機器の利便性を向上できるようにするものである。
【０００３】
【従来の技術】
近年、折り畳むことでそのサイズをコンパクトにすることができる折畳式携帯用電子機器が人気を博している。この折畳式携帯用電子機器の一例となる折畳式携帯電話機器等は、例えばその筐体が折り畳み可能に構成されている。そして、使用時には筐体を開いて開状態にすることで操作性を向上できるように、また未使用時（収納時）には筐体を折り畳んで閉状態にすることで携帯性を向上できるようになされている。
【０００４】
ここで、従来方式に係る折畳式携帯用電子機器としての折畳式携帯電話機器は、例えば矩形体形状の第１筐体及び第２筐体がヒンジ部等で、互いに正面同士を対向して折り畳み可能に連結された折畳み筐体を有している。この第２筐体の正面には、電話番号や制御情報等を入力するための操作キー群が設けられている。第１筐体の正面には液晶ディスプレイ（Liquid Crystal Display；以下、ＬＣＤという。）が設けられており、この第１筐体正面のＬＣＤには操作キー群で入力された情報や受信した情報等が表示される。
【０００５】
また、第１筐体の背面にもＬＣＤが設けられており、この第１筐体背面のＬＣＤには種々の情報が表示される。更に折畳み筐体には、折り畳まれているときにオンされるスイッチ機構と、このスイッチ機構と電気的に接続された制御部とが設けられている。この制御部はスイッチ機構がオンされている間は第１筐体正面のＬＣＤに情報を表示し、スイッチ機構がオフされている間は第１筐体背面のＬＣＤに情報を表示する制御を行う。
【０００６】
これにより、第２筐体に対して第１筐体が開状態のときはスイッチ機構がオフされ、第１筐体正面のＬＣＤに情報が表示される。そして、第２筐体に対して第１筐体が閉状態のときは、スイッチ機構がオンされて第１筐体背面のＬＣＤに情報が表示される。このようにして折畳み筐体が開かれているときは勿論、折り畳まれているときもユーザーが情報を確認できるようになされている。
【０００７】
【発明が解決しようとする課題】
しかしながら、従来方式の折畳式携帯用電子機器によれば、以下のような問題がある。
【０００８】
ｉ．第２筐体に対して第１筐体が閉状態から開状態に移行されると、第１筐体背面のＬＣＤから第１筐体正面のＬＣＤに表示情報が瞬時に切り換えられるので、ユーザー（使用者）によって目視可能な状態に第１筐体正面のＬＣＤが露出されるまでは、表示された情報を見失ってしまう。
【０００９】
ii．第２筐体に対して第１筐体が開状態から閉状態に移行される間、第１筐体正面のＬＣＤのみに情報が表示されているので、第１筐体の閉動作に伴って第１筐体正面のＬＣＤが第２筐体に覆われ始め、ユーザーが第１筐体正面のＬＣＤを目視できなくなった状態から第１筐体が完全に閉状態となるまでの間、ユーザーは表示された情報を見失ってしまう。
【００１０】
このため、情報の視認性及び当該電子機器の利便性の向上を妨げてしまうといった問題を引き起こす。
【００１１】
そこで、本発明は上述の課題を解消するために創作されたものであり、筐体の開閉時において表示された情報を一瞬見失ってしまう従来方式に比べて視認性及び利便性を向上できるようにした折畳式携帯用電子機器を提供することを目的とする。
【００１２】
【課題を解決するための手段】
上述の課題は、折り畳み自在な折畳み筐体を有した折畳式携帯用電子機器において、閉状態の折畳み筐体における内側折り込み面に設けられた第１の表示部と、閉状態の内側折り込み面の反対側に設けられた第２の表示部と、折畳み筐体の開閉状態を検知する状態検知手段と、折畳み筐体の被覆状態を検知する磁石式の被覆状態検知手段と、状態検知手段及び被覆状態検知手段の検知結果に基づいて所定の期間だけ同じ内容の情報を第１の表示部と第２の表示部とに表示するように表示制御をする制御手段とを備えることを特徴とする折畳式携帯用電子機器によって解決される。
【００１３】
本発明によれば、閉状態の折畳み筐体における内側折り込み面に第１の表示部が、その内側折り込み面の反対側に第２の表示部が設けられている。そして、状態検知手段によって折畳み筐体の開閉状態が検知され、磁石式の被覆状態検知手段によって折畳み筐体の被覆状態を検知される。この状態検知手段及び被覆状態検知手段の検知結果に基づいて、所定の期間だけ同じ内容の情報を第１の表示部と第２の表示部とに表示するように制御手段によって表示制御が行われる。これにより、情報が表示された一方の表示部が折畳み筐体の開閉に伴って覆い隠された場合であっても、その情報を他方の表示部で継続して目視することができるので、表示された情報を見失うことなく折畳み筐体の開閉を行うことができる。
【００１４】
従って、筐体の開閉時において表示された情報を一瞬見失ってしまう従来方式に比べて、情報の視認性及び当該電子機器の利便性を向上させた折畳式携帯用電子機器を提供することができる。
【００１５】
【発明の実施の形態】
以下、図面を参照して本発明の折畳式携帯用電子機器の一実施の形態について詳細に説明する。
【００１６】
（第１実施形態）
図１は本発明に係る第１実施形態としての折畳式携帯用電子機器の構成例を示す斜視図である。この実施形態では、閉状態時の内側折り込み面に第１の表示部及びその内側折り込み面の反対側に第２の表示部を有した折畳み筐体に制御手段を設け、折畳み筐体の開閉状態を検知する状態検知手段の検知結果に基づいて所定の期間だけ同じ内容の情報を第１の表示部と第２の表示部とに表示するように制御手段が表示制御を行うようにして、従来方式に比べて、情報の視認性及び当該電子機器の利便性を向上できるようにするものである。
【００１７】
この発明に係る折畳式携帯用電子機器は、折畳式の筐体を有した例えば携帯用通信端末機器等に適用して極めて好適な、図１に示す折畳式携帯電話機器１００である。この折畳式携帯電話機器１００は電話としての通話機能は勿論、インターネット利用機能や音楽再生機能等も備えている。折畳式携帯電話機器１００は開閉式の折畳み筐体１０を有し、この折畳み筐体１０は第１筐体２１、第２筐体３１及びヒンジ部１１で構成されている。
【００１８】
これら第１筐体２１及び第２筐体３１は略同サイズの矩形体形状を有しており、第１筐体２１長手方向の下端と第２筐体３１長手方向の上端とがヒンジ部１１で回動自在に連結されている。このようにして第１筐体２１及び第２筐体３１は互いに正面同士を対向して折り畳み可能となされている。ここでは第１筐体２１と第２筐体３１との開閉角θは例えば０≦θ≦１５０［°］程度となるように設計してある。
【００１９】
そして、第２筐体３１の正面には操作キー群３３が設けられている。この操作キー群３３には例えば発呼を指示したり、着信時に応答するための通話キー、通話を終了するための終話キー、電話帳データを検索するための電話帳キー、電話番号や文字を入力するためのテンキー、音楽再生機能用のキー及びインターネット利用時にカーソル移動や画面のスクロール等を行うためのジョグポインタ等が配されている。操作キー群３３の下方付近の筐体面にはマイクロホン３４が設けられており、ユーザーが発する音声を入力するために使用される。
【００２０】
また、第１筐体２１の正面には液晶ディスプレイである内側ＬＣＤ２２が設けられており、折畳み筐体１０が閉状態の場合に第２筐体３１に覆い隠されるようになされている。内側ＬＣＤ２２には例えば操作キー群３３で入力された電話番号、電話帳データ、受信した画像、バッテリー残量及び電界強度表示等の種々の情報が表示される。
【００２１】
加えて、この内側ＬＣＤ２２には例えば音楽関連の情報群も表示される。この音楽関連の情報群は例えば音楽再生に関する情報（再生時間、動作状態及び曲名等）やその音楽に関連する画像等の複数の情報から成る。これら内側ＬＣＤ２２に表示される情報群を以下、総合情報という。この内側ＬＣＤ２２は例えば１００文字表示が可能な大型サイズのＬＣＤが使用されている。内側ＬＣＤ２２の上方付近の筐体面にはスピーカ２３が設けられており、例えば通話時に相手先の音声を外部出力するために使用される。第１筐体２１の上端には伸縮可能なアンテナ２５が設けられており、このアンテナ２５は図示しない基地局等と受送信を行うために使用される。
【００２２】
そして、第１筐体２１の背面には外側ＬＣＤ３２が設けられている。これによりユーザー（使用者）は、第２筐体３１に対して第１筐体２１が開状態のときに第１筐体２１の内側ＬＣＤ２２を、閉状態のときに第１筐体２１の外側ＬＣＤ３２を、視点を変えることなく目視することができる。この外側ＬＣＤ３２には内側ＬＣＤ２２に表示される総合情報の一部である選択情報が表示される。この選択情報は例えば音楽再生時間の情報及び受信した相手先の電話番号等である。このため、外側ＬＣＤ３２には内側ＬＣＤ２２よりも小さいサイズのＬＣＤを使用することができる。
【００２３】
この外側ＬＣＤ３２に表示される選択情報は第１筐体２１の側面に設けられた３Ｄジョグダイヤル２６をユーザーが操作することで予め任意に選択可能となされている。この３Ｄジョグダイヤル２６は回転操作、第１筐体２１方向へのプッシュ操作及び第１筐体２１の背面方向へのプッシュ操作が可能であり、例えば３Ｄジョグダイヤル２６を回転操作して選択情報を再生時間から曲名に切り換えたり、情報内容をスクロールしたりすることもできる。勿論、この３Ｄジョグダイヤル２６に操作キー群３３の電話帳キー、通話キー及び選択決定キー等と同様の機能を付与しても良いし、操作キー群３３で選択情報の設定を行っても良い。
【００２４】
また、第１筐体２１の正面における上端付近には押下式の開閉状態検知スイッチ５１が設けられており、この開閉状態検知スイッチ５１に対向する第２筐体３１の正面には突起部５２が突設されている。この開閉状態検知スイッチ５１はオフ接点方式が採用されており、第１筐体２１が第２筐体３１に対して閉状態のときに突起部５２に押下されてオンするようになされている。更に、ヒンジ部１１付近における第１筐体２１の正面には磁気式の被覆状態検知スイッチ５３が埋設されており、この被覆状態検知スイッチ５３に対向する第２筐体３１の正面には磁石５４が設けられている。
【００２５】
この被覆状態検知スイッチ５３もオフ接点方式が採用されている。被覆状態検知スイッチ５３は、ユーザーが開状態の第２筐体３１の正面に対向して内側ＬＣＤ２２を目視した場合に、この第１筐体２１が閉状態に移行されることにより内側ＬＣＤ２２が見えなくなる例えば開閉角θがθ≦９０［°］のときに磁石５４によってオンされるようになされている。これら開閉状態検知スイッチ５１及び被覆状態検知スイッチ５３は第２筐体内に設けられた図示しないＣＰＵ（Central Processing Unit）に接続されており、このＣＰＵは内側ＬＣＤ２２及び外側ＬＣＤ３２に表示される情報を切換制御する。
【００２６】
なお、ここでは押下式の開閉検知スイッチ５１及び磁石式の被覆状態検知スイッチ５３で第１筐体２１及び第２筐体３１の開閉状態を検知するようにしたが、勿論これに限定されるものではなく同じ効果を奏するものであればよい。例えば、ヒンジ部１１の内部に第１筐体２１に対する第２筐体３１の回転角を検知する回転検知スイッチを設けて開閉状態を検知してもよい。また、ここでは図示せずも音声再生装置や送受信装置等も折畳み筐体１０の内部に設けられている。
【００２７】
図２は折畳式携帯電話機器１００における制御システム１５０の構成例を示すブロック図である。図２に示すように制御システム１５０はＣＰＵ４０、内側ＬＣＤ２２、外側ＬＣＤ３２、開閉状態検知スイッチ５１、被覆状態検知スイッチ５３及びＲＡＭ（Random Access Memory）６０を有している。ＣＰＵ４０には内側ＬＣＤ２２、外側ＬＣＤ３２、開閉状態検知スイッチ５１、被覆状態検知スイッチ５３及びＲＡＭ６０が接続されている。
【００２８】
このＣＰＵ４０は開閉状態検知スイッチ５１及び被覆状態検知スイッチ５３のオンオフに基づいて、折畳み筐体１０の開閉状態を認知して内側ＬＣＤ２２及び外側ＬＣＤ３２に表示される情報を切換制御する。開閉状態検知スイッチ５１がオンされている場合は、ＣＰＵ４０では折畳み筐体１０の開閉角θ＝０［°］が認知されて外側ＬＣＤ３２に情報を表示するように制御する。開閉状態検知スイッチ５１がオフされている場合は、ＣＰＵ４０では開閉角θ＞０［°］が認知されて内側ＬＣＤ２２に情報を表示するように制御する。ＣＰＵ４０ではこのような制御を基本的な切換制御としており、この基本的な切換制御に加えて以下のような割込制御を行う。
【００２９】
このＣＰＵ４０は開閉状態検知スイッチ５１又は被覆状態検知スイッチ５３のオンオフに基づいて作動するタイマー機能を備えており、このタイマー機能が作動すると内側ＬＣＤ２２及び外側ＬＣＤ３２に情報を所定時間（例えば３［sec］等）の間だけ、表示するように制御する。このＣＰＵ４０では、開閉状態検知スイッチ５１がオンからオフに移行されるとタイマー機能を作動して内側ＬＣＤ２２及び外側ＬＣＤ３２に所定時間の間だけ、情報を表示するように制御する。
【００３０】
また、ＣＰＵ４０では、被覆状態検知スイッチ５３がオフからオンになるとタイマー機能を作動して内側ＬＣＤ２２及び外側ＬＣＤ３２に所定時間の間だけ、情報を表示するように制御する。そしてＣＰＵ４０ではタイマー満了後、開閉状態検知スイッチ５１及び被覆状態検知スイッチ５３のオンオフに基づいて上述した基本的な切換制御を行う。
【００３１】
更に、ＣＰＵ４０は内側ＬＣＤ２２に表示する総合情報（例えば音楽関連の情報群等）をＲＡＭ６０に随時メモリーさせている。ＣＰＵ４０では、内側ＬＣＤ２２から外側ＬＣＤ３２に情報を切換制御する場合に、メモリーされた総合情報の中から予めユーザーによって選択された所定の選択情報（例えば音楽再生時間の情報等）を外側ＬＣＤ３２に表示するように制御する。このときＲＡＭ６０にメモリーされた総合情報は外側ＬＣＤ３２に表示された所定の選択情報と連動して順次更新されている。
【００３２】
また、ＣＰＵ４０では、外側ＬＣＤ３２から内側ＬＣＤ２２に情報を切換制御する場合に、外側ＬＣＤ３２に表示された選択情報の元となる、ＲＡＭ６０にメモリーされた総合情報を内側ＬＣＤ２２に表示するように切換制御する。なお、ここでは図示せずも当該制御システム１５０にはＣＰＵ４０の制御プログラム等が格納されたＲＯＭ（Read Only Memory）、音楽再生装置、送受信装置及びバッテリー等も設けられている。
【００３３】
次に、本発明の折畳式携帯電話機器１００の動作例について説明する。
【００３４】
図３は折畳式携帯電話機器１００の動作例（開操作時）を示すフローチャートである。なお、ここでは音楽再生機能使用中であって、折畳み筐体１０を開閉角θ＝０［°］の閉状態から開閉角θ＝１５０［°］の開状態に移行させることを前提とする。まず、折畳み筐体１０が閉状態では開閉状態検知スイッチ５１が突起部５２に押下されて、ＣＰＵ４０によって外側ＬＣＤ３２に情報が表示される。
【００３５】
このときＣＰＵ４０はＲＡＭ６０にメモリーした総合情報（例えば音楽再生時間、曲名及び再生状態等から成る音楽関連の情報群）の中から選択情報（例えば音楽再生時間の情報等）を外部ＬＣＤ３２に表示するように制御している。そしてユーザーはこの外側ＬＣＤ３２に表示された選択情報を目視している。なお、外側ＬＣＤ３２に表示された選択情報は予め３Ｄジョグダイヤル２６でユーザーにより所望の情報に設定されたものである。
【００３６】
図３に示すようにステップＡ１では開閉状態検知スイッチ５１がオフされるまでＣＰＵ４０によって待機される。ユーザーが閉状態の折畳み筐体１０を開状態に移行させると開閉状態検知スイッチ５１がオフされてステップＡ２に進む。このステップＡ２では内側ＬＣＤ２２に総合情報を、外側ＬＣＤ３２に選択情報を表示するようにＣＰＵ４０によって制御されると共に、例えば３秒間のタイマーが起動される。
【００３７】
この後、ステップＡ３では３秒間のタイマーが満了したか否かが待機され、タイマーが満了するまで内側ＬＣＤ２２に表示された総合情報と外側ＬＣＤ３２とに表示された選択情報がＣＰＵ４０によって保持される。これにより第１筐体２１の開動作に伴い外側ＬＣＤが目視できなくなっても、ユーザーは外側ＬＣＤ３２に表示された選択情報を内側ＬＣＤ２２で見失うことなく継続して確認することができる。
【００３８】
そして３秒間のタイマーが満了するとステップＡ４に進む。このステップＡ４では開閉状態検知スイッチ５１がオンされたか否かがＣＰＵ４０によって判別される。開閉状態検知スイッチ５１がオフのまま、つまり折畳み筐体１０が開状態のままの場合はステップＡ５に進む。このステップＡ５では外側ＬＣＤ３２への表示がＣＰＵ４０によってオフされて、内側ＬＣＤ２２のみの表示に切換制御されてエンドとなる。
【００３９】
また、ステップＡ４で開閉状態検知スイッチ５１がオン、つまり折畳み筐体１０が閉状態から開状態に移行されてタイマー作動期間内に再び閉状態に移行された場合はステップＡ６に進む。このステップＡ６では内側ＬＣＤ２２への表示がＣＰＵ４０によってオフされて、外側ＬＣＤ３２のみの表示に切換制御されてエンドとなる。
【００４０】
図４は折畳式携帯電話機器１００の動作例（折畳み操作時）を示すフローチャートである。なお、ここでは例えば音楽再生機能使用中であって、ユーザーが折畳み筐体１０を開閉角θ＝１５０［°］の開状態から開閉角θ＝０［°］の閉状態に移行させることを前提とする。このとき折畳み筐体１０が開状態であるため開閉状態検知スイッチ５１がオフとなり、ＣＰＵ４０はＲＡＭ６０にメモリーした総合情報（例えば音楽再生時間、曲名及び再生状態等から成る音楽関連の情報群）を内側ＬＣＤ２２に表示するように制御している。ユーザーはこの内側ＬＣＤ２２に表示された総合情報を目視している。また、ここではユーザーが３Ｄジョグダイヤル２６を操作して予め選択情報が設定されている。
【００４１】
図４に示すようにステップＢ１では被覆状態検知スイッチ５３がオンされるまでＣＰＵ４０によって待機される。ユーザーによって開状態の折畳み筐体１０が閉状態に移行されて開閉角θ≦９０［°］となると被覆状態検知スイッチ５３が磁石５４によってオンされてステップＢ２に進む。このステップＢ２では内側ＬＣＤ２２に総合情報を、外側ＬＣＤ３２に総合情報の一部である選択情報（例えば音楽再生時間の情報等）を表示するようにＣＰＵ４０によって切換制御されると共に、例えば３秒間のタイマーが起動される。
【００４２】
この後、ステップＢ３では３秒間のタイマーが満了したか否かが待機され、タイマーが満了するまで内側ＬＣＤ２２に表示された総合情報と外側ＬＣＤ３２に表示された選択情報がＣＰＵ４０によって保持される。これにより第１筐体２１の閉動作に伴い内側ＬＣＤ２２が目視できなくなっても、ユーザーは内側ＬＣＤ２２に表示された総合情報の一部である選択情報を見失うことなく外側ＬＣＤ３２で継続して確認することができる。
【００４３】
そして３秒間のタイマーが満了するとステップＢ４に進む。このステップＢ４では開閉状態検知スイッチ５１がオンされたか否かがＣＰＵ４０によって判別される。開閉状態検知スイッチ５１がオン、つまり折畳み筐体１０が完全に閉状態に移行された場合はステップＢ５に進む。このステップＢ５では内側ＬＣＤ２２への表示がＣＰＵ４０によってオフされて、外側ＬＣＤ３２のみの表示に切換制御されてエンドとなる。
【００４４】
また、ステップＢ４で開閉状態検知スイッチ５１がオフ、つまり折畳み筐体１０が開状態から閉状態に移行されてタイマー作動期間内に再び開状態に移行された場合はステップＢ６に進む。このステップＢ６では外側ＬＣＤ３２への表示がＣＰＵ４０によってオフされて、内側ＬＣＤ２２のみの表示に切換制御されてエンドとなる。
【００４５】
なお、上述した動作例では音楽再生機能を使用した場合について説明したが例えば通話機能を使用した場合も同様の効果を得ることができる。また、３Ｄジョグダイヤル２６を操作することで外側ＬＣＤ３２の表示情報を切り換えることも可能である。
【００４６】
図５は折畳式携帯電話機器１００の状態例を示す（ａ）開状態時の、（ｂ）閉状態時の斜視図である。図５（ａ）に示すように開状態の折畳式携帯電話機器１００において第１筐体２１を第２筐体３１に対して折り畳むと、図５（ｂ）のようにコンパクトな状態となる。このとき内側ＬＣＤ２２は第２筐体３１の正面に覆われて目視できなくなるが、その代わりに第１筐体２１の背面に設けられた外側ＬＣＤ３２が視点を変えることなく目視可能となる。そして、この目視可能なＬＣＤには常時、情報を表示するように制御されている。
【００４７】
このように第１実施形態としての折畳式携帯電話機器１００によれば、閉状態時の内側折り込み面に内側ＬＣＤ２２及びその内側折り込み面の反対側に外側ＬＣＤ３２を有した折畳み筐体１０にＣＰＵ４０を設ける。そして、折畳み筐体１０が開かれたことを開閉状態検知スイッチ５１が検知した場合と、折畳み筐体１０が開閉角θ≦９０［°］に折り畳まれたことを被覆状態検知スイッチ５３が検知した場合には、内側ＬＣＤ２２及び外側ＬＣＤ３２に同じ内容の情報を所定期間の間だけ、表示するようにＣＰＵ４０が制御するので、折畳み筐体１０の開閉に伴って目視していた一方のＬＣＤが覆い隠された場合であっても、その情報を他方のＬＣＤで継続して目視することができるので、表示された情報を見失うことなく折畳み筐体１０の開閉を行うことができる。
【００４８】
従って、筐体の開閉時において表示された情報を一瞬見失ってしまう従来方式に比べて、情報の視認性及び当該電子機器の利便性を向上させることができる。
【００４９】
（第２実施形態）
図６は本発明に係る第２実施形態としての折畳式携帯電話機器２００の構成例を示す斜視図である。この実施形態では、第１実施形態における外側ＬＣＤ３２を第２筐体３１の背面に設け、折畳み筐体１０の開閉角θが所定の開閉区間に位置する場合に内側ＬＣＤ２２及び外側ＬＣＤ３２に情報を表示するようにしたものである。なお、第１実施形態と同じ名称及び符号のものは同じ機能を有するため、その説明を省略する。
【００５０】
図６に示す折畳式携帯電話機器２００は電話としての通話機能は勿論、インターネット機能や音楽再生機能等も備えている携帯端末である。折畳式携帯電話機器２００は開閉式の折畳み筐体１０を有し、この折畳み筐体１０は第１筐体２１、第２筐体３１及びヒンジ部１１で構成されている。第１筐体２１長手方向の下端と第２筐体３１長手方向の上端とがヒンジ部１１で回動自在に連結されている。これにより第１筐体２１及び第２筐体３１は互いに正面同士を対向して折り畳み可能となされている。ここでは第１筐体２１と第２筐体３１との開閉角θは例えば０≦θ≦１５０［°］程度となるように設計してある。
【００５１】
この第１筐体２１の正面には内側ＬＣＤ２２が設けられており、折畳み筐体１０が閉状態の場合に第２筐体３１に覆い隠されるようになされている。この内側ＬＣＤ２２の上方付近の筐体面にはスピーカ２３が設けられている。第１筐体２１の上端には伸縮可能なアンテナ２５が設けられている。第１筐体２１の側面には３Ｄジョグダイヤル２６が設けられている。
【００５２】
そして、第２筐体３１の正面には操作キー群３３が設けられている。操作キー群３３の下方付近の筐体面にはマイクロホン３４が設けられている。第２筐体３１の背面にはＬＣＤ３２が設けられている。これにより、ユーザー（使用者）は、第１筐体２１に対して第２筐体３１が開状態のときに第１筐体２１の内側ＬＣＤ２２を、閉状態のときに第２筐体３１の外側ＬＣＤ３２を、視点を変えることなく目視することができる。
【００５３】
また、第１筐体２１の正面における上端付近には押下式の開閉状態検知スイッチ５１が設けられており、この開閉状態検知スイッチ５１に対向する第２筐体３１の正面には突起部５２が突設されている。更に、ヒンジ部１１付近における第１筐体２１の正面には磁気式の被覆状態検知スイッチ５３が埋設されており、この被覆状態検知スイッチ５３に対向する第２筐体３１の正面には磁石５４が設けらされている。
【００５４】
図７は折畳式携帯電話機器２００における制御システム２５０の構成例を示すブロック図である。図７に示すように制御システム２５０はＣＰＵ２４０、内側ＬＣＤ２２、外側ＬＣＤ３２、開閉状態検知スイッチ５１、被覆状態検知スイッチ５３及びＲＡＭ６０を有している。ＣＰＵ２４０には内側ＬＣＤ２２、外側ＬＣＤ３２、開閉状態検知スイッチ５１、被覆状態検知スイッチ５３及びＲＡＭ６０が接続されている。
【００５５】
このＣＰＵ２４０では、開閉状態検知スイッチ５１がオンされている場合は、折畳み筐体１０において開閉角θ＝０［°］が認知されて外側ＬＣＤ３２のみに情報を表示するように制御する。開閉状態検知スイッチ５１がオフ且つ被覆状態検知スイッチ５３がオンされている場合は、ＣＰＵ２４０では折畳み筐体１０において０＜開閉角θ≦９０［°］が認知されて外側ＬＣＤ３２及び内側ＬＣＤ２２に情報を表示するように制御する。開閉状態検知スイッチ５１がオフ且つ被覆状態検知スイッチ５３がオフされている場合は、ＣＰＵ２４０では折畳み筐体１０において９０＜開閉角θ≦１５０［°］が認知されて内側ＬＣＤ２２のみに情報を表示するように制御する。
【００５６】
更に、ＣＰＵ２４０は内側ＬＣＤ２２に表示する総合情報（例えば音楽関連の情報群等）をＲＡＭ６０に随時メモリーさせている。ＣＰＵ２４０では、内側ＬＣＤ２２から外側ＬＣＤ３２に情報を切換制御する場合に、メモリーされた総合情報の中から予めユーザーによって選択された所定の選択情報（例えば音楽再生時間の情報等）を外側ＬＣＤ３２に表示するように制御する。このときＲＡＭ６０にメモリーされた総合情報は外側ＬＣＤ３２に表示された所定の選択情報と連動して順次更新されている。
【００５７】
また、ＣＰＵ２４０では、外側ＬＣＤ３２から内側ＬＣＤ２２に情報を切換制御する場合に、外側ＬＣＤ３２に表示された選択情報の元となる、ＲＡＭ６０にメモリーされた総合情報を内側ＬＣＤ２２に表示するように切換制御する。なお、ここでは図示せずも当該制御システム２５０にはＣＰＵ２４０の制御プログラム等が格納されたＲＯＭ、音楽再生装置、送受信装置及びバッテリー等も設けられている。
【００５８】
次に、第２実施形態の折畳式携帯電話機器２００の動作例について説明する。
【００５９】
図８は折畳式携帯電話機器２００の動作例を示すフローチャートである。なお、ここでは予めユーザーが３Ｄジョグダイヤル２６で総合情報の中から選択情報を設定していることを前提とする。図８に示すようにステップＣ１では開閉状態検知スイッチ５１のオンオフがＣＰＵ２４０によって判別される。開閉状態検知スイッチ５１がオンであれば開閉角θ＝０［°］がＣＰＵ２４０によって認知されてステップＣ２に進む。このステップＣ２ではＣＰＵ２４０によって外側ＬＣＤ３２に選択情報が表示されてエンドとなる。
【００６０】
また、ステップＣ１で開閉状態検知スイッチ５１がオフであればステップＣ３に進む。このステップＣ３では被覆状態検知スイッチ５３のオンオフがＣＰＵ２４０によって判別される。被覆状態検知スイッチ５３がオンであれば０＜開閉角θ≦９０［°］がＣＰＵ２４０によって認知されてステップＣ４に進む。このステップＣ４ではＣＰＵ２４０によって外側ＬＣＤ３２に選択情報が、内側ＬＣＤ２２に総合情報が表示されてエンドとなる。
【００６１】
また、ステップＣ３で被覆状態検知スイッチ５３がオフであれば９０＜開閉角θ≦１５０［°］がＣＰＵ２４０によって認知されてステップＣ５に進む。このステップＣ５では内側ＬＣＤ２２に総合情報が表示されてエンドとなる。
【００６２】
図９は折畳式携帯電話機器２００の状態例を示す（ａ）開状態時の、（ｂ）閉状態時の斜視図である。図９（ａ）に示すように開状態の折畳式携帯電話機器２００において第２筐体３１を第１筐体２１に対して折り畳むと、図９（ｂ）のようにコンパクトな状態となる。このとき内側ＬＣＤ２２は第２筐体３１の正面に覆われて目視できなくなるが、その代わりに第２筐体３１の背面に設けられた外側ＬＣＤ３２が視点を変えることなく目視可能となる。そして、この目視可能なＬＣＤには常時、情報を表示するように制御されている。
【００６３】
このように、第２実施形態としての折畳式携帯電話機器２００によれば、第１実施形態の折畳式携帯電話機器１００と同様の効果を得ることができる。特に、折畳式携帯電話機器１００では第２筐体３１に対して第１筐体２１を開閉操作する場合に最適であるが、折畳式携帯電話機器２００では第１筐体２１に対して第２筐体３１を開閉操作する場合に最適である。
【００６４】
なお、第１実施形態及び第２実施形態では外側ＬＣＤ３２に内側ＬＣＤ２２に表示される総合情報の一部を表示するようにしたが、勿論外側ＬＣＤ３２に内側ＬＣＤ２２の総合情報を全て表示するように外側ＬＣＤをより大型に構成してもよい。
【００６５】
【発明の効果】
以上説明したように、本発明によれば、閉状態時の内側折り込み面に第１の表示部及びその内側折り込み面の反対側に第２の表示部を有した折畳み筐体に制御手段を設け、折畳み筐体の開閉状態を検知する状態検知手段及び折畳み筐体の被覆状態を検知する磁石式の被覆状態検知手段の検知結果に基づいて所定の期間だけ同じ内容の情報を第１の表示部と第２の表示部とに表示するように制御手段が表示制御を行うものである。
【００６６】
この構成によって、情報が表示された一方の表示部が折畳み筐体の開閉に伴って覆い隠された場合であっても、その情報を他方の表示部で継続して目視することができるので、表示された情報を見失うことなく折畳み筐体の開閉を行うことができる。
【００６７】
従って、筐体の開閉時において表示された情報を一瞬見失ってしまう従来方式に比べて、情報の視認性及び当該電子機器の利便性を向上させた折畳式携帯用電子機器を提供することができる。
【００６８】
この発明は、閉状態時に使用されるＬＣＤと開状態時に使用されるＬＣＤとが設けられた折畳式の携帯電話機器等に適用して極めて好適である。
【図面の簡単な説明】
【図１】本発明に係る第１実施形態としての折畳式携帯電話機器１００の構成例を示す斜視図である。
【図２】その折畳式携帯電話機器１００における制御システム１５０の構成例を示すブロック図である。
【図３】その折畳式携帯電話機器１００の動作例（開操作時）を示すフローチャートである。
【図４】その折畳式携帯電話機器１００の動作例（折畳み操作時）を示すフローチャートである。
【図５】その折畳式携帯電話機器１００の状態例を示す（ａ）開状態時の、（ｂ）閉状態時の斜視図である。
【図６】第２実施形態としての折畳式携帯電話機器２００の構成例を示す斜視図である。
【図７】その折畳式携帯電話機器２００における制御システム２５０の構成例を示すブロック図である。
【図８】その折畳式携帯電話機器２００の動作例を示すブロック図である。
【図９】その折畳式携帯電話機器２００の状態例を示す（ａ）開状態時の、（ｂ）閉状態時の斜視図である。
【符号の説明】
１０・・・折畳み筐体、２１・・・第１筐体（第１筐体）、２２・・・内側ＬＣＤ（第１の表示部）、２５・・・３Ｄジョグダイヤル（操作部）、３１・・・第２筐体（第２筐体）、３２・・・ＬＣＤ（第２の表示部）、４０，２４０・・・ＣＰＵ（制御手段）、５１・・・開閉状態検知スイッチ（状態検知手段）、５３・・・被覆状態検知スイッチ（状態検知手段）、１００・・・第１実施形態の折畳式携帯電話機器、２００・・・第２実施形態の折畳式携帯電話機器
【図１】
0004389114.tif 000002
【図２】
0004389114.tif 000003
【図３】
0004389114.tif 000004
【図４】
0004389114.tif 000005
【図５】
0004389114.tif 000006
【図６】
0004389114.tif 000007
【図７】
0004389114.tif 000008
【図８】
0004389114.tif 000009
【図９】
0004389114.tif 000010